(57)【要約】      （修正有）【課題】ペットにとっても飼い主にとっても、設置位置、設置形態、形態変更の可否、清掃の簡便化、ペット自体の安楽と安定の促進、愛らしさの助長といった要望を可及的に満たしやすくなるペット用とまり木構造を提供する。【解決手段】台座２と、その台座２から真直もしくは折曲して伸びる支柱３と、その支柱３の端部に取りつけられる止まり木４とを備え、台座２と支柱３とはねじ締結により、また支柱３と止まり木４ともねじ締結によって一体化可能となっている。止まり木４の締結ねじを解けば、止まり木４を支柱３から外すことができ、台座２の締結ねじを解けば、台座２を支柱３から外すこともできる。【選択図】図１
0003206136.tif 000002
【実用新案登録請求の範囲】
【請求項１】
ペットとりわけ鳥獣のとまり木構造において、
台座と、その台座から真直もしくは折曲して伸びる支柱と、その支柱の端部に取りつけられる止まり木とを備え、
前記台座と支柱とはねじ締結により、また支柱と止まり木ともねじ締結によって一体化可能となっており、
止まり木の締結ねじを解けば、止まり木を支柱から外すことができ、
台座の締結ねじを解けば、台座を支柱から外すことができ、
前記支柱は、ペットの脚、胴もしくは首等につけたハーネスやリードなどの紐もしくは鎖の端部に取りつけたリングを嵌めることができ、ペットの動きに応じて支柱の周りで回転し、ハーネスやリードなどのもつれを可及的に回避できるようにしたことを特徴とするペット用とまり木構造。
【考案の詳細な説明】
【技術分野】
【０００１】
本考案はペット用とまり木構造に係り、詳しくは、例えば鳥獣用のとまり木であって、分解・組立可能としたとまり木に関するものである。
【背景技術】
【０００２】
止まり木は鳥類・猿類などのペットが休息するにふさわしい形や大きさのものとされるが、大体は安息時もしくは静止時のペットの姿勢安定をとりやすいシンプルなものが採用される。ペットを籠に入れておくことを常態する場合には、対面する籠側面間を橋渡すような籠内用止まり木が使用されるが、籠から出したときもしくは籠外飼育を常態とする場合には、室床や机上、屋台上、甚だしくは路上などに静置した止まり木に止まらせておくことがある。
【０００３】
籠内用止まり木は籠に納まるサイズであることは言うまでもないが、籠外用止まり木は種々雑多なサイズを選択することができ、ペットがより一層好むような形・資質・足触り等選択の幅が広くなる。
【０００４】
籠外用止まり木は、籠内用止まり木に比べてその姿勢の安定度合いがさらに高いことが要求され、ペットに不安を感じさせない配慮は欠かせない。また、止まり木の幅や長さ、張出し方によっては台座を大きくしたり重量感・質感のあるものにしなければならないこともある。さらに、止まり木の位置を台座などからどの程度離しておくかもペットの体形や尾の長短、水入れや餌箱などとの距離、日頃の止まり木上の振る舞いを観察して、より一層快適なものに変えてやれることも重要なことである。
【０００５】
ペットのためには止まり木を自然素材としておくことが適切な場合が多い。籠内用止まり木の場合、籠が小さければ削り出し丸棒であることがしばしばであるが、籠外用止まり木の場合、灌木の乾燥枝材とされることもある。もちろん、その形やサイズによっては台座などとの力学的バランスを考慮しての兼ね合いがうまくとれる必要があり、またその枝ぶりの保持や変化のある姿勢の維持は簡単でないこともある。
【０００６】
ところで、籠外用止まり木を固定的としたもの、例えば地面に杭を立てるかのように棒を立設し、その上端にＴ字形となるように水平棒を固定した例が実開平１−５９０８０号公報（特許文献１）に記載されている。この止まり木は害鳥を止まらせ、その飛来を検知して田畑からの追い払い装置にトリガーを与えようとするものである。特開平９−１９１８１５号公報（特許文献２）には２つの支柱に橋渡した止まり木が開示されている。その止まり木は鳥に不安定感を与えるように水平軸を中心に回転するようにしている。すなわち、ローラのような構造で不安定化機能を発揮させ、鳥獣が営巣などしないようにすることを目的にしている。
【０００７】
実開平３−３７８５９号公報（特許文献３）にはキャッツウォークのごとき止まり木が開示されている。鳥獣の中でも知能の高い種類のものはその境遇で可能なお遊びをすることがしばしばあり、また止まり木で嘴や足爪を研いだりする。したがって、そのような鳥獣を止まらせる場合には、飼い主が適宜な物を止まり木に付加してやることがある。よく目にするのはブランコを併設したり、揺れ鈴を下げたり、齧（かじ）り用の玩具や貝殻、硬い木質材を配置したりといったことをする。
【先行技術文献】
【特許文献】
【０００８】
【特許文献１】実開平１−５９０８０号公報
【特許文献２】特開平９−１９１８１５号公報
【特許文献３】実開平３−３７８５９号公報
【考案の概要】
【考案が解決しようとする課題】
【０００９】
飼い主がいろいろ配慮するのは、ペット自体の快適感・開放感を与えるだけでなく、ペットとしての可愛らしさを助長したいという飼い主の期待・希望も重なるわけであり、両立の難しさもつきまとう。いずれにしても止まり木は籠内および籠外で使用され、また場合によって両用可能な形態とすることもできる。その場合、止まり木が組立・分解できるものであることが、その利便性を高めることになる。まずは、安定して設置できること、可搬性のあること、一部を交換するなどして形態を変更してやれること、糞などの付着物の除去作業がしやすいこと、分解操作や組立操作が容易であること、といった飼い主にとっても負担が軽減されることが望ましい。
【００１０】
本考案は上記の問題に鑑みなされたもので、その目的は、ペットにとっても飼い主にとっても、その設置位置、設置形態、形態変更の可否、清掃の簡易化、ペット自体の安楽と安定の促進、愛らしさの助長といった要望を可及的に満たしやすくしたペット用とまり木構造を提供しようとすることである。
【課題を解決するための手段】
【００１１】
本考案はペットとりわけ鳥獣のとまり木構造に適用される。その特徴とするところは、図１を参照して、台座２と、その台座から真直もしくは折曲して伸びる支柱３と、その支柱の端部に取りつけられる止まり木４とを備え、
台座と支柱とはねじ締結により、また支柱と止まり木ともねじ締結によって一体化可能となっており、
止まり木の締結ねじを解けば、止まり木４を支柱３から外すことができ、
台座の締結ねじを解けば、台座２を支柱３から外すことができ、
支柱は、ペットの脚、胴もしくは首等につけたハーネスやリードなどの紐もしくは鎖の端部に取りつけたリングを嵌めることができ、ペットの動きに応じて支柱の周りで回転し、ハーネスやリードなどのもつれを可及的に回避できるようにしたことである。
【考案の効果】
【００１２】
本考案によれば、止まり木構造は、台座、支柱、止まり木を備えるようにしたので、籠外用止まり木とするにあたって安定性の確保が最低限の構成要素でもって図られやすくなる。支柱は台座から真直もしくは折曲して伸び、その支柱の端部に止まり木が取りつけられるようにしているので、静置する場合も壁掛け式とする場合も、支柱の形状の選択により随意のものとすることができる。
【００１３】
台座と支柱とはねじ締結により、また支柱と止まり木ともねじ締結によって一体化可能としているので、止まり木の締結ねじを解けば、止まり木を支柱から外すことができ、台座の締結ねじを解けば、台座を支柱から外すことができる。支柱は、ペットの脚、胴もしくは首等につけたハーネスやリードなどの紐もしくは鎖の端部に取りつけたリングを嵌めることができ、ペットの動きに応じて支柱の周りで回転し、ハーネスやリードなどのもつれを可及的に回避できるようにしておくことができる。
【００１４】
解体可能な点で可搬性が極めて優れる。また、一部を交換するなどして例えば支柱を長さの異なるものや曲折のあるものなど形やサイズの違うものに付け替えることも可能となる。一方、糞などの付着物の除去も、さらには接続部位に付着するごみや羽毛といったものの取り除き、嘴研き屑などペット自体の衛生状態を維持・改善することも、その飼い主の世話の作業性も向上する。ひいてはペットと飼い主との共同生活における心地よさが醸成される。
【図面の簡単な説明】
【００１５】
【図１】本考案に係るペット用とまり木構造を示し、（ａ）はねじ締結により組み上げられた全体の斜視図、（ｂ）は支柱単体の斜視図、（ｃ）は台座単体の斜視図、（ｄ）は止まり木単体の斜視図。
【図２】さらに異なる例の構造を示し、（ａ）は支柱と台座の各単体の斜視図、（ｂ）は止まり木としての流木の上面斜視図─（ｃ）は流木止まり木の裏面の斜視図、（ｄ）はねじ締結により組み上げられたとまり木構造の全体斜視図。
【図３】異なる例の構造を示し、（ａ）は支柱、台座、止まり木一式の単体部材の斜視図、（ｂ）は止まり木の裏面の斜視図、（ｃ）はねじ締結により組み上げられたとまり木構造の全体斜視図。
【考案を実施するための形態】
【００１６】
以下に、本考案に係るペット用とまり木構造を、その実施の形態を表した図面に基づいて詳細に説明する。図１（ｄ）はペットとりわけ鳥獣のとまり木構造１の最も典型的な例であって、同図（ａ）に示す台座２と、その台座から真直もしくは折曲して伸びる同図（ｂ）に示す支柱３（図示は真直に伸びた例）と、その支柱の端部に取りつけられる（ｃ）に示す止まり木４とを備えている。なお、これ以外の要素、例えばペット用玩具などを付帯させていてもよいが、台座、支柱、止まり木のいずれをも備える構造を本考案は対象としている。
【００１７】
このようなペット用とまり木構造１では、台座２と支柱３とはねじ締結により、また支柱３と止まり木４ともねじ締結によって一体化可能となっている。ねじ締結とは雄ねじと雌ねじからなる締結構成をいうのであって、とまり木構造を分解・組立可能としておくことから、接着、溶接といった固着手段は採用しない。そのねじ締結機構の形態の一例としては、図１（ｂ）に示すように、支柱３の両端には雄ねじ５が形成され、台座２および止まり木４の相互対向位置には雌ねじ６が形成される。
【００１８】
このペット用とまり木構造の締結ねじを解けば、止まり木４を支柱３から外すことができ、台座２の締結ねじを解けば、台座を支柱から外すことができるから、支柱３には、ペットの脚、胴もしくは首等につけたハーネスやリードなどの紐もしくは鎖の端部に取りつけたリングを嵌めることができ、ペットの動きに応じて支柱３の周りで回転し、ハーネスやリードなどのもつれを可及的に避けておくことができる。
【００１９】
ところで、ねじ締結機構の形態、すなわち、支柱３の両橋には雄ねじ５、台座および止まり木の相互対向位置には雌ねじ６が形成されるものが、後述する図２や図３のとまり木構造にも適用される。しかし、図示しないが、台座と止まり木との相互対向位置には各雄ねじが形成され、支柱の両端には雌ねじが形成されるような形態とすることもできる。さらに、台座には雄ねじが形成されるとともに支柱の一方端には雌ねじが形成され、止まり木には雌ねじが形成されるとともに支柱の他端には雄ねじが形成されたものとしておくこともできる。
【００２０】
さらには、台座には雌ねじが形成されるとともに支柱の一方端には雄ねじが形成され、止まり木には雄ねじが形成されるとともに支柱の他端には雌ねじが形成されるという構造をとることもできる。
【００２１】
上記した支柱３はいずれの図にもあるごとく直線的な棒状としておくのがごく一般的であり、平らな箇所に台座２を静置する場合に適したものとしている。しかし、図示しないが、支柱を曲線的もしくは折曲的な非直線物としておくこともできる。その場合、台座を平らな箇所に静置するのでなく、例えばフックなどを形成しておき、壁掛け式とする場合などに利便性が出るようにしておくこともできる。
【００２２】
もちろん、支柱の交換や、形状・サイズなどの異なる支柱への付け替えも行うことができるわけで、止まり木の位置を台座などからどの程度離しておくかといった選択の余地のある事項に関して自由度を大きく持たせておくことができる。例えば、ペットの体形や尾の長短、水入れや餌入れとの距離、日頃の止まり木上の振る舞いを観察し、より一層快適なものや飼い主との目線の合わせやすいものなどに変えられるようになっていれば、心の繋がりがとれやすくなると期待される。
【００２３】
上でも少し触れたが、台座は床や机などの平面上に置くことができるように裏面が平坦もしくは外輪山的としたり、連続的もしくは不連続的であっても同高の脚としておく。しかし、壁などの垂直面に掛けておくことができるようにするには台座に孔を穿っておき、フックなどを取りつけやすい形態としておけば、室内装飾を兼ねることもでき、都合がよい。
【００２４】
台座は平面形が図１のように円形であったり、楕円形・矩形・多角形・星形といったように随意のものを採択することができる。止まり木もバランスや安定性を考慮できる範囲で種々な形やサイズにしておくことができる。しかし、図２のように流木７など変化に富んだ木質材を充てることもできる。したがって、支柱も止まり木も直線的な棒状であるにかぎらず、曲線的もしくは折曲的な自然美を醸しだす配慮を施すこともできる。
【００２５】
台座の素材は金属としておくことが静置時の安定性を図りやすくする。すなわち、ペット用とまり木構造の重心を低くしておくことができるが、その平面形を大きくしておくことができる場合には木製であってもプラスチック製など比較的軽量の素材を選ぶこともできる。なお、金属製とする場合には耐久性・耐蝕性・施色性などの面から、ジュラルミンにしておくとよい。ジュラルミンは比重が鉄より小さいからハンドリング性も優れたものとなる。
【００２６】
ちなみに、止まり木４は図３に示すように浅い窪み８の形成された円盤としておくこともできる。その窪みには適宜の餌を置いたり、若干の水を張って水飲み場や水浴び場とすることもできる。また、縁に足を置くこともできるから、数羽が共用することもできる。なお、円盤止まり木の下面すなわち支柱との締結面は図３（ｂ）のようにフラットであっても、またねじ形成箇所のみをボス成形し、ねじ座のみが厚肉もしくは突起状を呈するようにしておいもよい（図示せず）。
【００２７】
支柱を木製とした場合、止まり木に既に紹介した流木を充てるといったことで調和を図ることもできる。その支柱も加工木材ではなく自然美漂うものを使用し、また例えば週ごとに形の少し異なるものと交換すれば、その枝振りをもっても人目を楽しませることができたり、ペット自体がどの支柱や止まり木がお好みであるかを探すこともできる。台座については金属であると述べたが、支柱や止まり木も金属製としておくこともできる。
【００２８】
少し違った形態として、木製の止まり木にあっては日頃止まる箇所の断面をほぼ丸くしておき、嘴や爪の自己研きのために端部などには少し鋭部のある形を連続させておくこともできる。もしくは止まり木自体にかじり用木材などをねじ止めしておくなどすることもできる。金属の場合には雌ねじとしてのナットを埋設もしくは刻設することも、雄ねじとしてのスタッドボルトを植設することも容易であり、かつ強固なものとしておくことができる。金属面が露出していることに違和感があったりする場合は木皮などを巻き付けておけばよい。
【００２９】
以上の説明から分かるように、本考案に係る止まり木構造は台座と支柱と、止まり木を備えるようにしているので、籠外用止まり木とするにあたっても安定性の確保が最低限の構成要素でもって可能となる。支柱は台座から真直もしくは折曲して伸び、その支柱の端部に止まり木が取りつけられるようにするから、静置する場合も壁掛け式とする場合も、支柱の形状の選択によって飼い主やペットの意向に沿ったものとしておくことができる。なお、ペットとしてはオームの類のみならず、フィンチ類、大型・中型・小型の別なくインコにも、さらには例えば尾長鶏といった各種大型・中型・小型の鶏のための止まり木とすることもできる。そのような鳥類に限らず、猿の類といった獣にも使用することができる。
【００３０】
台座と支柱とはねじ締結により、また支柱と止まり木ともねじ締結によって一体化可能としているので、止まり木の締結ねじを解けば、止まり木を支柱から外すことができ、台座の締結ねじを解けば、台座を支柱から外すことができる。支柱は、ペットの脚、胴もしくは首等につけたハーネスやリードなどの紐もしくは鎖の端部に取りつけたリングを嵌めることができる。ペットの動きに応じて支柱の周りで回転し、ハーネスやリードなどのもつれを可及的に回避できる。解体して籠に入れ、籠内でねじ締結すれば、狭い入口の籠の中に設置することもできる。
【００３１】
解体可能な点では可搬性が優れる。また、一部を交換するなどして例えば支柱を長さの異なるものや曲折のあるものなど形やサイズの違うものに付け替えることも可能となる。一方、糞などの付着物の除去さらには接続部位に付着するごみや羽毛といったものの、嘴研き屑などペット自体の衛生状態を維持・改善することも、その作業性を向上させることにも大いに寄与するものとなる。
【符号の説明】
【００３２】
１…とまり木構造、２…台座、３…支柱、４…止まり木、５…雄ねじ、６…雌ねじ、７…流木、８…窪み。
【図１】
0003206136.tif 000003
【図２】
0003206136.tif 000004
【図３】
0003206136.tif 000005